(57)【要約】【課題】  センタ装置の処理負荷が軽減され、センタ装置で処理できる警備対象施設を増やすことが可能で、送信機やセンタ装置の入れ替えが容易で、改修のコストを抑えることが可能で、また、設定内容の管理が容易な警備システムの送信機を提供することにある。【解決手段】  警備対象施設の警備状況を示す警備情報画面を生成する警備情報画面生成部と、公衆回線網やインターネット網等の通信回線を介して警備情報画面生成部とセンタ装置とを接続する通信手段とを備え、センタ装置が通信回線を介して警備情報画面を閲覧可能なことを特徴とする。【選択図】図１
2005301948.tif 000002
【特許請求の範囲】
【請求項１】
警備対象施設の警備状況をセンタ装置に送信する警備システムの送信機において、
該警備対象施設の警備状況を示す警備情報画面を生成する警備情報画面生成部と、
公衆回線網やインターネット網等の通信回線を介して該警備情報画面生成部と該センタ装置とを接続する通信手段とを備え、
該センタ装置が該通信回線を介して該警備情報画面を閲覧可能なことを特徴とする警備システムの送信機。
【請求項２】
警備対象施設の警備状況をセンタ装置に送信する警備システムの送信機において、
該警備対象施設に対する警備処理を行う警備処理画面を生成する警備処理画面生成部と、
公衆回線網やインターネット網等の通信回線を介して該警備処理画面生成部と該センタ装置とを接続する通信手段とを備え、
該センタ装置が該通信回線を介して、該警備処理画面を用いて警備処理が可能なことを特徴とする警備システムの送信機。
【請求項３】
前記警備処理画面の警備処理が、警備に関する設定値等を入力変更する設定機能であり、該設定値等を記憶する設定記憶手段を備えることを特徴とする請求項２記載の警備システムの送信機。
【請求項４】
前記警備情報画面又は前記警備処理画面を、ブラウザを用いて閲覧又は警備処理が可能なことを特徴とする請求項１〜請求項３のいずれかに記載の警備システムの送信機。
【請求項５】
ウェブサーバを備えることを特徴とする請求項１〜請求項４のいずれかに記載の警備システムの送信機。
【発明の詳細な説明】
【技術分野】
【０００１】
本発明は、警備対象施設の警備情報をセンタ装置に送信する警備システムの送信機に関する。
【背景技術】
【０００２】
従来の警備システムは、一般の家庭や店舗、工場等の警備対象施設側に、異常を検知するセンサや警備対象施設の警戒状態／解除状態を切り替える操作器等を設け、センサの異常や警戒状態／解除状態等の警備情報を送信機を介して警備センタのセンタ装置に通報する。このセンタ装置は、送信機との通信に加え、異常な内容の解析／警備情報画面作成／警備情報画面表示、情報登録／設定、管制支援、アラーム処理、履歴管理、スケジュール管理、セット忘れ検索など、警備運用上必要な多くの機能が組み込まれている。
また、従来の警備システムの送信機は、センサ等からの信号を受け、その信号を警備情報として警備センタのセンタ装置に通報するのが主機能であり、警備システムの運営上必要な機能は、センタ装置に集約されている。
【０００３】
従来の警備システムの送信機の設定方法を説明すると、大別して２種類が存在する。１つは、送信機の表示手段及び設定手段を使用して設定を行うものである。もう１つは、センタ装置の表示手段及び設定手段を使用して設定を行い、設定値をセンタ装置から送信機に対して送り、送信機の設定を行うものである。また、これら２種類の方法の両方で設定可能な警備システムの送信機も存在する。
尚、これら先行技術は、文献公知に係るものでないため、記載すべき先行技術文献情報はない。
【発明の開示】
【発明が解決しようとする課題】
【０００４】
しかしながら、従来の警備システムは、センタ装置に多くの機能が組み込まれていることから、センタ装置の処理負荷が大きく、処理できる警備対象施設の数が制限されてしまう。
また、送信機とセンタ装置とが対となり専用の装置としてシステム化されていることから、送信機を入れ替える場合、センタ装置も同時に改修する必要があり、改修のコストを抑えることができない。
【０００５】
従来の警備システムの送信機の設定が、送信機でもでき、センタ装置でもできるような場合には、送信機側での設定とセンタ装置側での設定内容が必ずしも一致せず、設定内容の管理が煩雑である。
【０００６】
本発明は、このような事情に鑑みてなされたもので、センタ装置の処理負荷が軽減され、センタ装置で処理できる警備対象施設を増やすことが可能で、送信機やセンタ装置の入れ替えが容易で、改修のコストを抑えることが可能で、また、設定内容の管理が容易な警備システムの送信機を提供することにある。
【課題を解決するための手段】
【０００７】
請求項１記載の警備システムの送信機は、警備対象施設の警備状況を示す警備情報画面を生成する警備情報画面生成部と、公衆回線網やインターネット網等の通信回線を介して警備情報画面生成部とセンタ装置とを接続する通信手段とを備え、センタ装置が通信回線を介して警備情報画面を閲覧可能なことを特徴とする。
【０００８】
請求項２記載の警備システムの送信機は、警備対象施設に対する警備処理を行う警備処理画面を生成する警備処理画面生成部と、公衆回線網やインターネット網等の通信回線を介して警備処理画面生成部とセンタ装置とを接続する通信手段とを備え、センタ装置が通信回線を介して、警備処理画面を用いて警備処理が可能なことを特徴とする。
【０００９】
請求項３記載の警備システムの送信機は、警備処理画面の警備処理が、警備に関する設定値等を入力変更する設定機能であり、設定値等を記憶する設定記憶手段を備えることを特徴とする。
【００１０】
請求項４記載の警備システムの送信機は、警備情報画面又は警備処理画面を、ブラウザを用いて閲覧又は警備処理が可能なことを特徴とする。
【００１１】
請求項５記載の警備システムの送信機は、ウェブサーバを備えることを特徴とする。
【発明の効果】
【００１２】
請求項１の発明によれば、送信機が警備対象施設の警備状況を示す警備情報画面を生成し、センタ装置が警備情報の内容を解析して警備情報画面作成を行う必要がないことから、センタ装置の処理負荷が軽減され、センタ装置で処理できる警備対象施設を増やすことが可能である。
【００１３】
請求項２の発明によれば、警備処理画面を介して、警備システムの警備処理が可能なことから、センタ装置の処理負荷が軽減され、センタ装置で処理できる警備対象施設を増やすことが可能である。
また、センタ装置が故障や処理の錯綜等でダウンしてしまった場合でも、警備対象施設での警備が停止せず、警備の停止というリスクが分散され信頼性の高い警備が可能となる。
【００１４】
請求項３の発明によれば、センタ装置を介して、送信機に設けられた設定記憶手段内の設定値を直接変更することが出来るので、設定内容が一元化され、設定内容の管理が容易となる。
【００１５】
請求項４の発明によれば、警備情報画面又は警備処理画面をブラウザを用いて閲覧又は警備処理が可能なことから、送信機やセンタ装置の種類等に依存せず、送信機やセンタ装置の入れ替えが容易で、改修のコストを抑えることが可能である。
【００１６】
請求項５の発明によれば、送信機がウェブサーバを備えていることから、センタ装置に限らずインターネットを介してどこからでも警備情報画面の閲覧ができ、迅速に警備の状況を把握することができ、又は、センタ装置に限らずインターネットを介してどこからでも警備処理画面を用いて容易に警備処理が出来る。
【発明を実施するための最良の形態】
【００１７】
以下、本発明の形態について図面を参照しながら具体的に説明する。本発明の形態における警備システムの送信機は、一般の家庭や店舗、工場等の警備対象施設に設けられ、異常を検知するセンサからの異常の情報や警備エリアの警戒状態／解除状態を切り替える操作器からの警戒状態／解除状態の情報等を警備センタのセンタ装置に通報するためのものである。
【実施例１】
【００１８】
図１は、本発明に係る警備システムの送信機の第１の実施例の構成を示す構成図である。図２は、同警備システムの送信機の警備情報画面の一例を示す説明図である。
【００１９】
図において、本実施例の送信機１０を含む警備システムは、警備すべき警備対象施設２に設けられた各種のセンサ３と、センサ３で検知した異常を通信回線であるインターネット網６を用いてセンタ装置３０に通知する送信機１０と、通知された異常を表示等するセンタ装置３０とからなる。送信機１０は、警備処理部２２と警備情報画面生成部２３と通信装置２１とから構成されている。警備処理部２２は、センサ３のインタフェースであり、センサ３の情報を基に警備情報処理等の処理を行う。また、警備情報画面生成部２３は、警備処理部２２の情報を基に警備対象施設２の異常の発生状況などの警備の状況を示す警備情報画面を生成する。また、通信装置２１は、警備情報画面のデータ等を通信可能な信号として送受信する。通信装置２１は、モデムやターミナルアダプタ等である。
【００２０】
センタ装置３０は、警備情報画面のデータ等を通信可能な信号として受信する通信装置３１と、警備情報画面を表示する端末３２とから構成されている。通信装置３１は、モデムやターミナルアダプタであり、端末３２は汎用のコンピュータである。しかし、端末３２はコンピュータに限られるものではなく、警備情報画面が表示できるものであればよい。また、通信装置３１と端末３２とが一体のものであってもよい。
【００２１】
送信機１０とセンタ装置３０とは、インターネット上に設けられたウェブサーバ７に、インターネット網６を介して接続されている。ウェブサーバ７は、インターネット網６におけるＷＷＷ（World Wide Web）システムで情報送信を行なう手段であり、コンピュータやＷＷＷによる情報送信機能を持ったソフトウェアで構成されている。ウェブサーバ７は、ＨＴＭＬや画像などの情報を蓄積しておき、ブラウザなどのクライアントソフトウェアの要求に応じて、インターネット網６などのネットワークを通じて、これらの情報を送信する役割を果たす。
【００２２】
次に、本実施例における警備システム及び送信機１０の動作を説明する。まず、警備対象施設２で、警備情報画面生成部２３が警戒状態の有無やセンサ３等の情報により、異常の発生状況などの警備状況を示す警備情報画面を生成する。この警備情報画面は随時変化するもので、警備対象施設２のモニタ画面である。また、どのセンサ３がＯＮ／ＯＦＦしているかの二値的な情報だけでなく、センサ３がラインセンサや監視カメラであるような場合には、２次元的な情報やビデオ、音声情報をも表示される画面である。さらに、警備情報画面生成部２３は、情報登録／設定、管制支援、アラーム処理、履歴管理、スケジュール管理、セット忘れアラームなどの機能を持ち、これらに関連して保持している情報も警備情報画面に組み込むことが可能である。
【００２３】
この警備情報画面は、図２に示すように、センタ装置３０の端末で閲覧可能な形式であり、例えば、ブラウザで閲覧可能なＨＴＭＬ等のハイパーテキスト形式である。画面として閲覧可能な形式であればよく、ＣＧＩやＳＳＩ等や、スクリプト言語を利用したものであってもよい。送信機１０は、警備情報画面生成部２３で随時作成される警備情報画面を、インターネット網６を介して、インターネット上のウェブサーバ７に送信する。例えば、図２の警備情報画面４０では、日付、時刻、アドレス、警備のエリア、事象、チャネル（ＣＨ）、センサ３等の状態、その他情報等を表示している。尚、ブラウザで閲覧できる画面に限定されるものではなく、端末３２で閲覧可能な形式であれば、例えば、警報情報画面生成部２３がブラウザに準拠しない形式の画面を生成する専用アプリケーションであってもかまわない。
【００２４】
センタ装置３０の端末３２は、インターネット網６を介して通信装置３１を用いてウェブサーバ７上の警備情報画面を閲覧することで、警備対象施設２の状況を把握することが可能である。閲覧は、ブラウザ等の警備情報画面を表示可能な手段により行う。センタ装置３０側では、管制員が端末３２で警備情報画面をチェックしており、異常の発生を知った管制員は、表示された内容により、異常が発生した警備対象施設２に警備員を派遣したり、警察や消防に通報するようにする。
【００２５】
このように、送信機１０が警備対象施設２の警備状況を示す警備情報画面を生成し、センタ装置３０は警備情報の内容を解析して警備情報画面作成を行う必要がないことから、センタ装置３０の処理負荷が軽減され、センタ装置３０で処理できる警備対象施設２を増やすことが可能である。また、警備情報画面をブラウザを用いて閲覧可能なことから、送信機１０やセンタ装置３０の種類等に依存せず、送信機１０やセンタ装置３０の入れ替えが容易で、メンテナンスや改修のコストを抑えることが可能である。
【００２６】
また、送信機１０の外部に設けられたウェブサーバ７を用いることで、送信機１０の機能的負荷を軽減し、送信機１０のコストを抑えることができる。尚、ウェブサーバ７は、警備システム専用に用意されたものでも、ＩＳＰ（Internet Services Provider）が提供するホームページサービスのサーバでもよい。ＩＳＰ契約と同時に無料で任意のウェブサーバ容量が割り当てられるため、これを利用することでコストの軽減ができる。尚、セキュリティを確保するため、電話番号による互いの認証や、ＩＤやパスワードにより閲覧に制限を加えるようなものを組み込んでもよい。また、通信のプロトコルとしてｈｔｔｐ（Hypertext Transfer Protocol）の他、ＳＳＬによるデータの暗号化機能を付加したプロトコルｈｔｔｐｓ（Hypertext Transfer Protocol Security）等を用いてもよい。
【００２７】
また、ウェブサーバ７を用いることで、センタ装置３０に限らずインターネットを介してどこからでも警備情報画面の閲覧ができ、迅速に警備の状況を把握することができる。具体的には、例えば、警備対象施設２のオーナーが、自宅などから警備状況を知りたい場合、ブラウザを備えたコンピュータや携帯端末等から、ウェブサーバ７にアクセスして、警備対象施設２の状況を確認でき、オーナーはセンタ装置３０の様な特別な装置を所有する必要はない。尚、ウェブページへのアクセスは、送信機１０、センタ装置３０、およびオーナー等の限定された相手のみに許可されるべきことから、例えば、ウェブサーバの標準的な機能であるＢａｓｉｃ認証を利用したり、ＩＤ／パスワード・相手ＩＰアドレス等でのアクセス制限を行うことができる。
【００２８】
尚、本実施例では、通信装置２１がインターネット網６に直接接続できる場合について説明しているが、他の形態でウェブサーバ７に接続できる場合であってもかまわない。例えば、通信装置２１が通信回線である公衆電話回線を通じて、ＩＳＰのアクセスポイントに接続され、アクセスポイントからウェブサーバ７に接続されている場合である。公衆回線網は、例えば、アナログ加入回線、ＩＳＤＮ回線、ＤｏＰａ回線、携帯電話網、ＰＨＳ網等である。
【実施例２】
【００２９】
図３は、本発明に係る警備システムの送信機の第２の実施例の構成を示す構成図である。図４は、本発明に係る警備システムの送信機の第２の実施例の他の構成を示す構成図である。
【００３０】
本実施例の図３に示す送信機１１を含む警備システムは、警備すべき警備対象施設２に設けられた各種のセンサ３と、センサ３で検知した異常を通信回線であるインターネット網６を用いてセンタ装置３０に通知する送信機１１と、通知された異常を表示等するセンタ装置３０とからなる。送信機１１は、警備処理部２２と警備情報画面生成部２４と通信装置２１とから構成されている。警備処理部２２は、センサ３のインタフェースであり、センサ３の情報を基に警備情報処理等の処理を行う。また、警備情報画面生成部２４は、警備処理部２２の情報を基に警備対象施設２の異常の発生状況などの警備の状況を示す警備情報画面を生成する。警備情報画面生成部２４は、ウェブサーバの機能を有している。また、通信装置２１は、警備情報画面のデータ等を通信可能な信号として送受信する。通信装置２１は、モデムやターミナルアダプタ等である。センタ装置３０は、実施例１のものと同一なので説明を省略する。
【００３１】
送信機１１の警備情報画面生成部２４は、内部のウェブサーバ部分に警備情報画面のウェブページを作成する。センタ装置３０の端末３２が、通信装置３１及びインターネット網６を介して、警備情報画面生成部２４内の警備情報画面のウェブページを参照し、閲覧する。尚、警備情報画面は実施例１と同様である。センタ装置３０の端末３２は、インターネット網６を介して通信装置３１を用いて受信した警備情報画面を閲覧することで、警備対象施設２の状況を把握することが可能である。閲覧は、ブラウザ等の警備情報画面を表示可能な手段により行う。センタ装置３０側では、管制員が端末３２で警備情報画面をチェックしており、異常の発生を知った管制員は、表示された内容により、異常が発生した警備対象施設２に警備員を派遣したり、警察や消防に通報するようにする。
【００３２】
このように、送信機１１がウェブサーバの機能を備えることで、センタ装置３０に限らずインターネットを介してどこからでも警備情報画面の閲覧ができ、迅速に警備の状況を把握することができる。具体的には、例えば、警備対象施設２のオーナーが、自宅などから警備状況を知りたい場合、ブラウザを備えたコンピュータや携帯端末等から、送信機１１にアクセスして、警備対象施設２の状況を確認でき、オーナーはセンタ装置３０の様な特別な装置を所有する必要はない。尚、ウェブページへのアクセスは、センタ装置３０、およびオーナー等の限定された相手のみに許可されるべきことから、例えば、ウェブサーバの標準的な機能であるＢａｓｉｃ認証を利用したり、ＩＤ／パスワード・相手ＩＰアドレス等でのアクセス制限を行うことができる。
【００３３】
尚、ＩＰアドレスが動的に変化する場合については、送信機１１は、ウェブサーバ８に定期的にアクセスを行い、その際、現在のグローバルＩＰアドレスとアクセスを受け付けるポート番号を書き込んでおく。送信機１１自身がグローバルＩＰアドレスを取得している場合は、その情報をそのままセンタ装置３０に伝達してもよい。また、送信機１１が警備先のＬＡＮに接続される場合、ローカルＩＰアドレスが割り振られるが、例えばＵＰｎＰ対応のルータを使用することで、送信機１１がルータのＷＡＮ側に割り当てられたグローバルＩＰアドレスを取得して送信することもできる。センタ装置３０や限定された相手は、ウェブサーバ８にアクセスして、保存されているグローバルＩＰアドレスとアクセス用ポート番号を取得することで、送信機１１に接続することができる。尚、送信機１１側に割り当てられるＩＰアドレスが、固定ＩＰアドレスであっても成立する。
【００３４】
また、本実施例ではインターネット網６を用いた構成を説明をしたが、図４に示すように、公衆回線網５を用いて、送信機１２の通信装置２１とセンタ装置３０の通信装置３１とで、互いに直接電話をして、１対１での接続で通信を行うようにしてもよい。尚、公衆回線網５としては専用線であってもよい。また、常時接続でも断続的に必要に応じての接続であってもよい。また、セキュリティを確保するため、電話番号による互いの認証や、ＩＤやパスワードにより閲覧に制限を加えるようなものを組み込んでもよい。
【実施例３】
【００３５】
図５は、本発明に係る警備システムの送信機の第３の実施例の構成を示す構成図である。図６は、同警備システムの送信機の警備処理画面の一例を示す説明図である。
【００３６】
本実施例の図５に示す送信機１３を含む警備システムは、警備すべき警備対象施設２に設けられた各種のセンサ３と、センサ３で検知した異常を通信回線であるインターネット網６を用いてセンタ装置３０に通知する送信機１３と、通知された異常を表示等するセンタ装置３０とからなる。送信機１３は、警備処理部２２と警備処理画面生成部２５と通信装置２１とから構成されている。警備処理部２２は、センサ３のインタフェースであり、センサ３の情報を基に警備情報処理や各種設定等の処理を行う。また、警備処理画面生成部２５は、警備処理部２２と連携して、各種の警備処理を行うための警備処理画面を生成する。尚、通信装置２１、センタ装置３０及び通信装置２１とセンタ装置３０との間の通信に関しては、実施例１と同一であり、同様な効果を奏することができ、説明を省略する。
【００３７】
次に、本実施例における警備システム及び送信機１３の動作を説明する。まず、警備処理画面生成部２５で、警備に係る各種の処理（警備処理）に関する警備処理画面を生成する。警備処理は、具体的には、送信機状態表示（警戒／解除、センサ状態、通信回線断線など現在の状態を視覚表示）、送信機制御（警戒／解除、接点出力、応急ループ、テストテナントなどの遠隔制御）、管制支援（管制員のアラーム事象対応処理、指示の流れを視覚的に補足表示）、事象履歴一覧表示（事象検索、事象追加編集など）、送信機設定（警備関連設定、ＩＰアドレス設定など）警備報告書作成（報告書作成、印刷など）、データ管理（各種データバックアップ／リストア、ファームウェア更新など）等がある。また、画像送信機の場合、送信機制御（カメラＰＴＺの遠隔制御）、現在時のリアルタイム画像表示／音声再生、発報前後の蓄積画像表示／音声再生、画像巡回監視スケジュール管理（定時刻の監視要請案内）等がある。尚、応急ループとは、応急ループに設定されたセンサは発報しても通報しない（警備員が現場対応中にセンサ発報の通報多発を抑えたい場合などに使用する）場合のものである。テストテナントとは、テストテナントに設定された送信機１３から受信した事象は、センタで異常事象として処理しない（機器設置時のテストなどに使用）場合のものである。センタ装置３０側では、管制員が端末３２で警備処理画面を介して、各種の警備処理を行うことになる。
【００３８】
警備処理画面は、図６に示すように、センタ装置３０の端末３２に表示され、入力等の処理が可能な形式であり、例えば、ブラウザで閲覧可能なＨＴＭＬ等のハイパーテキスト形式である。画面として表示・入力可能な形式であればよく、ＣＧＩやＳＳＩ等や、スクリプト言語を利用したものであってもよい。送信機１３は、警備処理画面生成部２５で随時作成される警備処理画面を、インターネット網６を介して、インターネット上のウェブサーバ７に送信すると共に、センタ装置３０側で警備処理画面を介して入力された情報を、警備処理部２２に反映させる。
【００３９】
このように、送信機１３で、警備処理画面を介して、警備システムの警備処理が可能なことから、センタ装置３０の処理負荷が軽減され、センタ装置３０で処理できる警備対象施設２を増やすことが可能である。また、センタ装置３０が故障や処理の錯綜等でダウンしてしまった場合でも、警備対象施設２での警備が停止せず、警備の停止というリスクが分散され信頼性の高い警備が可能となる。
【００４０】
警備処理画面の具体例を示したものが図６である。図６の警備処理画面５０は、警備処理として、警備に関する設定値等を入力変更するための設定機能の画面である。また、設定値をセンタ装置３０ではなく、送信機１３にのみ保存するために、設定記憶手段としてメモリ２７を備えている。警備処理画面５０では、設定の項目として、例えば、センサ３等の入力方式、ポーリング方式での接続を行うか否か、センサ等の入力種別、センサ３の入力感度等を詳細に入力や既に入力されている内容の変更が可能となっている。このように、センタ装置３０を介して、送信機１３に設けられたメモリ２７内の設定値を直接変更することが出来るので、設定内容が一元化され、設定内容の管理が容易となる。尚、警備処理画面は、ブラウザで表示・入力できる画面に限定されるものではなく、端末３２で表示・入力可能な形式であれば、例えば、警報処理画面生成部２５がブラウザに準拠しない形式の画面を生成する専用アプリケーションであってもかまわない。
【実施例４】
【００４１】
図７は、本発明に係る警備システムの送信機の第４の実施例の構成を示す構成図である。図８は、本発明に係る警備システムの送信機の第５の実施例の構成を示す構成図である。
【００４２】
本実施例の図７に示す送信機１４を含む警備システムは、警備すべき警備対象施設２に設けられた各種のセンサ３と、センサ３で検知した異常を通信回線であるインターネット網６を用いてセンタ装置３０に通知する送信機１４と、通知された異常を表示等するセンタ装置３０とからなる。送信機１４は、警備処理部２２と警備処理画面生成部２６と通信装置２１とから構成されている。警備処理部２２は、センサ３のインタフェースであり、センサ３の情報を基に警備情報処理や各種設定等の処理を行う。また、警備処理画面生成部２６は、警備処理部２２と連携して、各種の警備処理を行うための警備処理画面を生成する。警備処理画面生成部２６は、ウェブサーバの機能を有している。尚、通信装置２１、センタ装置３０及び通信装置２１とセンタ装置３０との間の通信に関しては、実施例１と同一であり、同様な効果を奏することができ、説明を省略する。
【００４３】
本実施例における警備システム及び送信機１４では、まず、警備処理画面生成部２５で、警備に係る各種の処理（警備処理）に関する警備処理画面を生成する。警備処理は、具体的には、実施例３と同様である。センタ装置３０側では、管制員が端末３２で警備処理画面を介して、各種の警備処理を行うことになる。
【００４４】
このように、送信機１４がウェブサーバの機能を備えることで、センタ装置３０に限らずインターネットを介してどこからでも警備処理画面の表示・入力ができ、警備処理画面を用いて容易に警備処理が出来る。具体的には、例えば、警備対象施設２のオーナーが、自宅などから警備処理を行いたい場合、ブラウザを備えたコンピュータや携帯端末等から、送信機１４にアクセスして警備処理が行え、オーナーはセンタ装置３０の様な特別な装置を所有する必要はない。尚、ウェブページへのアクセスは、センタ装置３０、およびオーナー等の限定された相手のみに許可されるべきことから、例えば、ウェブサーバの標準的な機能であるＢａｓｉｃ認証を利用したり、ＩＤ／パスワード・相手ＩＰアドレス等でのアクセス制限を行うことができる。尚、ＩＰアドレスが動的に変化する場合については、実施例２の警備システムと同様である。
【００４５】
また、本実施例ではインターネット網６を用いた構成を説明をしたが、図８に示すように、公衆回線網５を用いて、送信機１５の通信装置２１とセンタ装置３０の通信装置３１とで、互いに直接電話をして、１対１での接続で通信を行うようにしてもよい。尚、公衆回線網５としては専用線であってもよい。また、常時接続でも断続的に必要に応じての接続であってもよい。また、セキュリティを確保するため、電話番号による互いの認証や、ＩＤやパスワードにより閲覧に制限を加えるようなものを組み込んでもよい。
【００４６】
尚、上記の記載で、実施例１及び実施例２では、警備情報画面生成についての説明を行い、実施例３及び実施例４では、警備処理画面生成についての説明を行って、それぞれの機能のみを有した警備システムの説明を行っている。しかしながら、警備情報画面と警備処理画面との双方を生成し、閲覧又は処理可能な警備システムを構築することも可能である。例えば、警備情報画面生成部２３，２４と警備処理画面生成部２５，２６とを同一のマイクロコンピュータで実現するような場合である。
【産業上の利用可能性】
【００４７】
以上のように、本発明の警備システムの送信機は、センタ装置の処理負荷が軽減され、センタ装置で処理できる警備対象施設を増やすことが可能であることから、遠隔地の複数の施設を監視する必要のあるダムや遠隔地プラント等の無人施設にも適用することができる。
また、センタ装置の処理負荷が軽減されることから、高性能なシステムが求められる画像や動画を併用した警備システムにおいて特に有効である。
【図面の簡単な説明】
【００４８】
【図１】本発明に係る警備システムの送信機の第１の実施例の構成を示す構成図である。
【図２】同警備システムの送信機の警備情報画面の一例を示す説明図である。
【図３】本発明に係る警備システムの送信機の第２の実施例の構成を示す構成図である。
【図４】本発明に係る警備システムの送信機の第２の実施例の他の構成を示す構成図である。
【図５】本発明に係る警備システムの送信機の第３の実施例の構成を示す構成図である。
【図６】同警備システムの送信機の警備処理画面の一例を示す説明図である。
【図７】本発明に係る警備システムの送信機の第４の実施例の構成を示す構成図である。
【図８】本発明に係る警備システムの送信機の第５の実施例の構成を示す構成図である。
【符号の説明】
【００４９】
２・・・・・・・警備対象施設
３・・・・・・・センサ
５・・・・・・・公衆回線網
６・・・・・・・インターネット網
７，８・・・・・ウェブサーバ
１０〜１５・・・送信機
２１・・・・・・通信装置
２２・・・・・・警備処理部
２３・・・・・・警備情報画面生成部
２４・・・・・・警備情報画面生成部（ウェブサーバ）
２５・・・・・・警備処理画面生成部
２６・・・・・・警備処理画面生成部（ウェブサーバ）
２７・・・・・・メモリ
２８・・・・・・警備画面生成部（ウェブサーバ）
３０・・・・・・センタ装置
３１・・・・・・通信装置
３２・・・・・・端末
４０・・・・・・警備情報画面
５０・・・・・・警備処理画面
【図１】
2005301948.tif 000003
【図２】
2005301948.tif 000004
【図３】
2005301948.tif 000005
【図４】
2005301948.tif 000006
【図５】
2005301948.tif 000007
【図６】
2005301948.tif 000008
【図７】
2005301948.tif 000009
【図８】
2005301948.tif 000010